(57)【特許請求の範囲】
【請求項１】
コッタボルトを雄ネジ側が長いＪ字形に曲げたコッタボルトとし、コッタボルトの雄ネジ側にはボルト部分は通り六角ナットは通らない楕円形の穴、コッタ部分側には六角形のコッタ部分は通る事が出来る大きな穴と通る事が出来ない小さい穴が重なりあった雪ダルマ形の穴がＪ字形コッタボルトの両端の位置にくる平面的には長方形で、横から見ると雄ネジが前後に移動出来る楕円形の穴部分はフラットで建枠の横架材に当った部分から横架材の頂点までは横架材の外径に沿った円形に曲がり建枠の横架材の頂点から再びフラットになる長辺方向にリブ補強された平鋼板形状を特徴とするＪ字形布板横ずれ防止金具。
【発明の詳細な説明】
【技術分野】
【０００１】本発明は足場の鋼製布板横ずれ防止金具に関するものである。
【背景技術】
【０００２】従来の仮設足場の作業床の床材間の隙間は労働安全衛生規則で３ｃｍ以下にする様に決められているが、建枠の作業床に最初２枚の鋼製布板の隙間を３ｃｍ以下に敷いていても作業床で作業を行い大勢の人が作業床を動きまわる事により徐々に鋼製布板が横ずれして隙間が３ｃｍ以上になってその隙間に足を入れてしまい危険であった。
【先行技術文献】
【特許文献】
【０００３】
【特許文献１】特開平１０−１６９１８８号公報
【発明の概要】
【発明が解決しようとする課題】
【０００４】従来は次のような欠点があった。
鋼製布板がずれないように隣り合う鋼製布板のつめ金具を番線で縛って固定して鋼製布板の横ずれを防止していたが、その作業を行うには番線を鋼製布板のつめ金具の隙間に通して番線を締める必要があったが、それは手作業となり作業能率が悪く、番線も使い捨てとなっていた。
本発明は、以上のような従来の欠点を鑑み、Ｊ字形布板横ずれ防止金具を提供して作業効率の向上と繰返し使用できる事によるコストダウンを目的としている。
【課題を解決するための手段】
【０００５】上記目的を達成するために、本発明はコッタボルトを雄ネジ側が長い符号１のＪ字形に曲げたコッタボルトとし、コッタボルトの符号３の雄ネジ側にはボルト部分が通る事が可能で符号４の六角ナットは通る事が出来ない符号６の楕円形の穴、コッタ部分側には符号５の六角形のコッタ部分は通る事が可能な大きな穴と通る事が出来ない小さい穴が重なりあって符号７の雪ダルマ形の穴がＪ字形コッタボルトの両端の位置にくる平面的には長方形で、横から見ると雄ネジが前後に移動出来る楕円形の穴部分はフラットで建枠の横架材に当った部分から横架材の頂点までは横架材の外径に沿った円形に曲がり頂点から再びフラットになる符号２の長辺方向にリブ補強された平鋼板形状を特徴とし、Ｊ字形に曲げたコッタボルトを建枠横架材に差込んで長い方の雄ネジ部分をリブ補強された平鋼板の楕円形の穴に、六角形のコッタ部分はダルマ形の大きい方の穴に入れてからリブ補強された平鋼板をダルマ形の小さい穴の方にずらし、六角形のコッタ部分が抜けない様にしてから、雄ネジ側の六角ナットを締付ける事によって、Ｊ字形ボルトと平鋼板に力が伝わって、建枠の横架材にＪ字形布板横ずれ防止金具が固定され鋼製布板のつめ金具がＪ字形布板横ずれ防止金具に当たって鋼製布板をずれないようする機能を有するＪ字形布板横ずれ防止金具を構成している。
【発明の効果】
【０００６】以上の説明から明らかなように、本発明にあっては次に列挙する効果が得られる。
（１）Ｊ字形布板横ずれ防止金具の構成部材がリブ補強された平鋼板とＪ字形に曲げたコッタボルトを採用した事により、金具の軽量化になっている。
（２）従来の番線を切断し鋼製布板のつめ金具の隙間を通して番線を締める熟練工による手作業がなくなり、足場の鋼製布板横ずれ防止金具を鋼製布板のつめ金具の外側に設置して六角ボルトを電動工具で締付けて鋼製布板の横ずれを阻止するので経験の浅い作業員でも簡単に作業が出来る。
（３）Ｊ字形布板横ずれ防止金具の着脱が出来るので、番線のように現場での加工が不要で使い捨てもなく繰返し使用できる。
【図面の簡単な説明】
【０００７】
【図１】はＪ字形布板横ずれ防止金具を建枠の横架材に締め付けた時の横から見た立面図
【図２】は［図１］をイーイ方向から見た見下げ図
【図３】は符号２リブ補強された平鋼板のみの見下げ図
【図４】はＪ字形布板横ずれ防止金具を建枠の横架材に締め付けた時の斜視図
【図５】はＪ字形布板横ずれ防止金具のパーツを別々にした時の斜視図［図６］〜［図１０］はＪ字形布板横ずれ防止金具を建枠の横架材に取付ける順序の立面図と平面図の参考図（矢印は金具の移動方向）
【図６】はＪ字形布板横ずれ防止金具が建枠の横架材に当らない様に、平面図の矢印の方向に１８０度リブ補強された平鋼板を廻してからＪ字形ボルトを立面図の上向きの矢印方向に押込んで横架材に差込む。
【図７】は平面図の矢印の方向にリブ補強された平鋼材を１８０度廻して雪ダルマ形の大きい方の穴にＪ字形ボルトの六角形のコッタ部分が差込める位置にする。
【図８】はリブ補強された平鋼板の雪ダルマ形の大きい方の穴に立面図の下向きの矢印方向に六角形のコッタ部分を押込んで入れる。
【図９】はリブ補強された平鋼材を立面図の右向きの矢印方向にずらして六角形のコッタ部分が抜け落ちない小さい穴の方に移動させて雄ネジ部分の六角ナットを電動ドリルで締付ける。
【図１０】はＪ字形布板横ずれ防止金具取付け完了した立面図と平面図。
【発明を実施するための形態】
【０００８】以下、本発明の実施の形態を図に基づいて説明する。
【実施例１】
【０００９】図１は、Ｊ字形布板横ずれ防止金具を建枠の横架材に締め付けた取付完了の平面図である。
【実施例２】
【００１０】［図８］〜［図１２］はＪ字形布板横ずれ防止金具を建枠の横架材に取付ける順序の立面図と平面図の参考図で、［図６］はＪ字形布板横ずれ防止金具が建枠の横架材に当らない様に、平面図の矢印の方向に１８０度リブ補強された平鋼板を廻してからＪ字形ボルトを立面図の上向きの矢印方向に押込んで横架材に差込み、［図７］で平面図の矢印の方向にリブ補強された平鋼材を１８０度廻して雪ダルマ形の大きい方の穴にＪ字形ボルトの六角形のコッタ部分が差込める位置にし、［図８］でリブ補強された平鋼板の雪ダルマ形の大きい方の穴に立面図の下向きの矢印方向に六角形のコッタ部分を押込んで入れ、［図９］ではリブ補強された平鋼材を立面図の右向きの矢印方向にずらして六角形のコッタ部分が抜け落ちない小さい穴の方に移動させて雄ネジ部分の六角ナットを電動ドリルの先につけて、ナットを締める為の付属品で締付けて、［図１０］のＪ字形布板横ずれ防止金具取付けが完了した立面図と平面図になり、鋼製布板のつめ金具がＪ字形布板横ずれ防止金具に当たって鋼製布板をずれないようになる。
【符号の説明】
【００１１】１    Ｊ字形コッタボルト
２    リブ補強された平鋼板
３    六角ナット
４    雄ネジ部分
５    六角形のコッタ部分
６    楕円形の穴
７    雪ダルマ形の穴
８    建枠の横架材（一点鎖線部）
９    鋼製布板のツメ金具（一点鎖線部）
１０  電動ドリルの先につけて、ナットを締める為の付属品（一点鎖線部）
【要約】      （修正有）【課題】足場のＪ字形布板横ずれ防止金具を提供する。【解決手段】雄ネジ側が長いＪ字形コッタボルト１と、Ｊ字形コッタボルト１の両端位置において、雄ネジ側にはボルト部分が通る事が可能で六角ナット３は通る事が出来ない楕円形の穴と六角形のコッタ部分５側にはコッタ部分５は通る事が可能な大きな穴と通る事が出来ない小さい穴が重なりあっての雪ダルマ形の穴がある、平面的には長方形で、横から見ると雄ネジが前後に移動出来る楕円形の穴部分はフラットで建枠の横架材に当った部分から横架材の頂点までは横架材の外径に沿った円形に曲がり頂点から再びフラットになった長辺方向にリブ補強された平鋼板２からなり、Ｊ字形コッタボルト１を建枠横架材に差込んで、六角形のコッタ部分５が抜けない様にしてから、六角ナット３を締付ける事によって横架材に固定され、鋼製布板のつめ金具がＪ字形布板横ずれ防止金具に当たって鋼製布板をずれないようする。【選択図】図４【図１】
0005716242.tif 000002
【図２】
0005716242.tif 000003
【図３】
0005716242.tif 000004
【図４】
0005716242.tif 000005
【図５】
0005716242.tif 000006
【図６】
0005716242.tif 000007
【図７】
0005716242.tif 000008
【図８】
0005716242.tif 000009
【図９】
0005716242.tif 000010
【図１０】
0005716242.tif 000011